(57)【要約】【課題】専用工具を必要とすることなく、電線の端部同士を簡易かつ迅速に、また、信頼性高く導通接続させることのできる電線接続用スリーブを提供すること。【解決手段】両端側に電線Ｄの導電体ｄの端部を挿入して導通接続することにより該電線同士を導通接続する電線接続用スリーブ１００であって、概略円筒形状に形成されて差し込まれた導電体に導通接触する一対の挟圧部材１３０と、この挟圧部材を縮径方向に加圧する一対の外装部材１１０と、挟圧部材同士の導通を外装部材と共に確保する連結部材１２０およびスペーサ部材１４０と、を具備しており、挟圧部材は外面１３２が両端側ほど断面形状の小さくなる円錐形状に形成されているとともに長さ方向に延在する複数本のスリットが形成される一方、外装部材は雌ネジ部１１１が連結部材の雄ネジ部１２１に螺合することにより挟圧部材の外面に内面を圧接させる。【選択図】図１
2009205830.tif 000002
【特許請求の範囲】
【請求項１】
両端側に導電体の端部を挿入する挿入口を備えて、該導電体端部をそれぞれ導通接続することにより当該導電体同士を導通接続する電線接続用スリーブであって、
前記挿入口の開口する概略円筒形状に形成されて該挿入口から差し込まれた導電体に導通接触する一対の導通接触部と、前記導通接触部同士の導通を確保する導通部と、前記導通接触部を縮径方向に加圧する一対の加圧部と、を具備しており、
前記導通接触部は、外面側が両端側ほど断面形状の小さくなるテーパー形状に形成されているとともに前記挿入口から内方に向って延在する複数本の割りが形成される一方、
前記加圧部は、前記導通接触部の外面に面接触可能に形成されている内面を有するとともに螺合回転することにより該内面を前記導通接触部の外面に圧接させる方向に進行する螺合部を有することを特徴とする電線接続用スリーブ。
【請求項２】
前記導通部の両側に前記導通接触部が位置するとともに、該導通部の外周面に前記加圧部の螺合部を螺合させるネジ山が形成されていることを特徴とする請求項１に記載の電線接続用スリーブ。
【請求項３】
前記導通部の両側に前記導通接触部が位置する一方、
前記加圧部の互いに接近する側の一方に雄ネジの螺合部が形成されるとともに他方に雌ネジの螺合部が形成されていることを特徴とする請求項１に記載の電線接続用スリーブ。
【請求項４】
前記導通部の両側に前記導通接触部が位置するとともに、該導通接触部の外周面に前記加圧部の螺合部を螺合させるネジ山が形成されていることを特徴とする請求項１に記載の電線接続用スリーブ。
【請求項５】
前記導通接触部は、前記導通部から別部品に作製されて該導通部の両側に位置することを特徴とする請求項１から請求項４のいずれか一項に記載の電線接続用スリーブ。
【請求項６】
前記導通接触部の前記導電体の外面に接触する内面として、前記導電体の外径毎に対応して当該導電体を挿入可能に該外径よりも若干大きめに設定されていることを特徴とする請求項１から請求項５のいずれか一項に記載の電線接続用スリーブ。
【請求項７】
前記導通接触部の前記導電体の外面に接触する内面に、前記導電体の外面側に向って突出する複数の突出形状が形成されていることを特徴とする請求項１から請求項６のいずれか一項に記載の電線接続用スリーブ。
【請求項８】
前記導通接触部、前記導通部または前記加圧部の外部に露出する外面の少なくとも一部あるいは全部を電線の外面と異なる色にしたことを特徴とする請求項１から請求項７のいずれか一項に記載の電線接続用スリーブ。
【発明の詳細な説明】
【技術分野】
【０００１】
本発明は、電線接続用スリーブに関し、例えば、過大な負荷により切断などされた電線の端部同士を、専用工具を準備することなく、迅速に導通接続して復旧させることのできるものに関する。
【背景技術】
【０００２】
従来、電線同士を接続する場合には、円筒形状の導電性材料よりなる圧縮スリーブ内にその電線の導電体の端部を差し込んで圧縮変形することにより導通接続することが知られており、この作業を行う場合には、専用の圧縮工具を準備する必要がある。
【０００３】
この圧縮工具は、例えば、配電線などのように大電流の流れる電線の場合には、圧縮スリーブもある程度の肉厚の導電性材料により作製されていることから、その圧縮スリーブを圧縮変形させる能力を備えるように大掛かりで重量のある装置になってしまっている。このために、圧縮スリーブは常備できるにしても、その圧縮工具を常に持ち運ぶことはできず、切断されている電線を発見したときには、圧縮工具を取りに帰る必要があり、また、その圧縮工具が大掛かりで重量があることから、その運搬も多大な労力であるとともに、その接続作業を行うにしても作業場所によっては使用することができない場合がある。
【０００４】
このことから、圧縮スリーブのような導電性材料内に差し込んだ電線の導電体を、携行可能な汎用工具によりボルトを直交方向から螺合させることにより緊締固定することが考えられるが（例えば、特許文献１参照）、電線の導電体の一部が変形するだけであるので、大きな引っ張り荷重が加わると抜けてしまう虞があるとともに、その導電体に傷が付いて再度断線する要因になる虞がある。
【０００５】
このため、本出願人は、その電線の導電体の外面に大面積で圧接する状態にして、その導電体と共に変形するスリーブを内装するなどすることにより、大きな引っ張り荷重が加わっても抜けてしまわないとともに、その導電体に傷付けることなく接続することのできる電線接続スリーブを提案している（例えば、特許文献２参照）。
【０００６】
さらに、本出願人は、汎用で容易に携行可能な工具を用いて、電線の端部同士を導通接続させることのできる構造を鋭意研究開発しており、今般、ある程度の成果を得ることができた。
【特許文献１】特開２０００−２８７３４６号公報
【特許文献２】特開２００７−１２８８１６号公報
【発明の開示】
【発明が解決しようとする課題】
【０００７】
そこで、本発明は、専用工具を必要とすることなく、電線の端部同士をより簡易かつ迅速に、また、信頼性高く導通接続させることのできる電線接続用スリーブを提供することを目的とする。
【課題を解決するための手段】
【０００８】
上記課題を解決する電線接続用スリーブの第１の発明は、両端側に導電体の端部を挿入する挿入口を備えて、該導電体端部をそれぞれ導通接続することにより当該導電体同士を導通接続する電線接続用スリーブであって、前記挿入口の開口する概略円筒形状に形成されて該挿入口から差し込まれた導電体に導通接触する一対の導通接触部と、前記導通接触部同士の導通を確保する導通部と、前記導通接触部を縮径方向に加圧する一対の加圧部と、を具備しており、前記導通接触部は、外面側が両端側ほど断面形状の小さくなるテーパー形状に形成されているとともに前記挿入口から内方に向って延在する複数本の割りが形成される一方、前記加圧部は、前記導通接触部の外面に面接触可能に形成されている内面を有するとともに螺合回転することにより該内面を前記導通接触部の外面に圧接させる方向に進行する螺合部を有することを特徴とするものである。
【０００９】
この発明では、導通部により導通を確保される導通接触部の挿入口から電線の導電体の端部を挿入して差し込んだ状態にし、その導通接触部の外面に加圧部の内面を接触させつつその加圧部の螺合部を螺合させることにより、電線の導電体の端部毎に、両端側ほど断面形状の小さく形成されている導通接触部のテーパー形状の外面に加圧部の内面が圧接（加圧）する、言い換えると、加圧部が内方に進行することにより導通接触部の外面を小さくするように内面が圧接する。このため、導通接触部は、電線の導電体を差込・挿入させている内面が縮径されてその導電体の外面に圧接される。この導通接触部の内面は、両端側の挿入口から内方に向って延在する複数本の割りが形成されていることから、加圧部による加圧に抗することなく、その割りを縮小しつつ変形して電線の導電体に圧接することができる。したがって、電線の導電体を導通接触部内に差し込んで加圧部を汎用の工具で螺合回転させるだけで、導通部により導通される導通接触部を十分に変形させて電線の導電体に食い込ませることができ、その電線の端部を必要な強度で確実に導通接続する状態に保持することができる。
【００１０】
上記課題を解決する電線接続用スリーブの第２の発明は、上記第１の発明の特定事項に加え、前記導通部の両側に前記導通接触部が位置するとともに、該導通部の外周面に前記加圧部の螺合部を螺合させるネジ山が形成されていることを特徴とするものである。
【００１１】
この発明では、導通部の両側に位置する導通接触部に加圧部を被せるようにして、その導通部の両側に形成されているネジ山に加圧部の螺合部を螺合させることにより、その加圧部の螺合部同士が接近する方向（内方）に進行させることができる。したがって、両端側ほど断面形状の小さくなる導通接触部のテーパー形状の外面に加圧部の螺合部を螺合させるネジ山を形成することなく（加工の難しい形状にネジ山を刻設することなく）、その加圧部を螺合回転させて進行させることができ、その導通接触部を縮径方向に大きく変形・圧接させて電線の導電体に導通接触させることができる。
【００１２】
上記課題を解決する電線接続用スリーブの第３の発明は、上記第１の発明の特定事項に加え、前記導通部の両側に前記導通接触部が位置する一方、前記加圧部の互いに接近する側の一方に雄ネジの螺合部が形成されるとともに他方に雌ネジの螺合部が形成されていることを特徴とするものである。
【００１３】
この発明では、導通部の両側に位置する導通接触部に加圧部を被せるようにして、その加圧部の互いに接近する端部に形成されている螺合部の雄ネジと雌ネジを螺合させることにより、その加圧部の螺合部同士が深く螺合する方向（内方）に進行させることができる。したがって、両端側ほど断面形状の小さくなる導通接触部のテーパー形状の外面に加圧部の螺合部を螺合させるネジ山を形成することなく（加工の難しい形状にネジ山を刻設することなく）、また、加圧部の螺合部を螺合させる部材を別途作製することなく、その加圧部同士を螺合回転させて進行させることができ、その導通接触部を縮径方向に大きく変形・圧接させて電線の導電体に導通接触させることができる。
【００１４】
上記課題を解決する電線接続用スリーブの第４の発明は、上記第１の発明の特定事項に加え、前記導通部の両側に前記導通接触部が位置するとともに、該導通接触部の外周面に前記加圧部の螺合部を螺合させるネジ山が形成されていることを特徴とするものである。
【００１５】
この発明では、導通部の両側に位置する導通接触部に加圧部を被せるようにして、その導通接触部の外周面に形成されているネジ山に加圧部の内面の螺合部を螺合させることにより、その加圧部の螺合部同士が接近する方向（内方）に進行させることができる。したがって、導通接触部を加圧部の螺合回転に合わせて縮径させることができ、その導通接触部を縮径方向に変形・圧接させて電線の導電体に導通接触させることができる。
【００１６】
上記課題を解決する電線接続用スリーブの第５の発明は、上記第１から第４のいずれかの発明の特定事項に加え、前記導通接触部は、前記導通部から別部品に作製されて該導通部の両側に位置することを特徴とするものである。
【００１７】
この発明では、導通部の両側に位置する導通接触部が導通部に連続する場合のように変形することを妨げられることなく、その導通接触部は、導通部に対して自由に変形することができ、加圧部による加圧に応じて割りを縮小して電線の導電体に圧接することができる。したがって、導通接触部の内面を電線の導電体の外面に略均等に圧接させて導通接触させることができる。
【００１８】
上記課題を解決する電線接続用スリーブの第６の発明は、上記第１から第５のいずれかの発明の特定事項に加え、前記導通接触部の前記導電体の外面に接触する内面として、前記導電体の外径毎に対応して当該導電体を挿入可能に該外径よりも若干大きめに設定されていることを特徴とするものである。
【００１９】
この発明では、加圧部の螺合部を螺合回転させつつ進行させる距離を大きく確保することなく、導通接触部の内面を挿入した電線の導電体に圧接させて導通接触させることができる。また、導通接触部と導通部が一体に形成されてその導通接触部の外周面に加圧部の螺合部を螺合させるネジ山を形成する場合にも、導通接触部を大きく変形させることなく、加圧部の螺合部をその導通接触部のネジ山に確実に螺合させつつその内面を電線の導電体に圧接させることができる。したがって、作業を簡易かつ迅速に終了することができるとともに、設計を難しくしてしまうことなく、導通接触部や加圧部を作製することができる。
【００２０】
上記課題を解決する電線接続用スリーブの第７の発明は、上記第１から第６のいずれかの発明の特定事項に加え、前記導通接触部の前記導電体の外面に接触する内面に、滑り止め処理が施されていることを特徴とするものである。
【００２１】
この発明では、導通接触部の内面が電線の導電体の外面に食い込むのと同時に滑らないように圧接する。したがって、電線の導電体を導通接触部でより確実に接続する状態に保持することができる。
【００２２】
上記課題を解決する電線接続用スリーブの第８の発明は、上記第１から第７のいずれかの発明の特定事項に加え、前記導通接触部、前記導通部または前記加圧部の外部に露出する外面の少なくとも一部あるいは全部を電線の外面と異なる色にしたことを特徴とするものである。
【００２３】
この発明では、外部から視認可能な外面の一部あるいは全部が電線の外面と異なる色にされる。したがって、本発明に係る電線接続用スリーブで電線の端部同士を導通接続した箇所を容易に他と区別して発見することができ、電線の導通接続をやり直す場合などに迅速に接続箇所を探して作業することができる。
【発明の効果】
【００２４】
このように本発明によれば、導通部により導通される導通接触部に加圧部を被せるようにして螺合回転させるだけで、大きな力を必要とすることなく、その導通接触部の割りを縮小する方向に変形させてその内面を電線の導電体に圧接させることができるので、汎用の工具により加圧部を螺合回転させて導通接触部を電線の導電体に食い込ませて導通接触させることができ、その電線の端部同士を簡易かつ迅速に導通接続させることができるとともに、その接続状態を信頼性高く維持することができる。
【発明を実施するための最良の形態】
【００２５】
以下、本発明の最良の実施形態を図面に基づいて説明する。図１〜図３は本発明に係る電線接続用スリーブの第１実施形態を示す図である。
【００２６】
図１において、電線接続用スリーブ１００は、電線Ｄの端部に外装させる状態に取り付ける一対の外装部材１１０と、この外装部材１１０の開放端側の端部同士を連結する連結部材１２０と、この連結部材１２０の両側に位置して外装部材１１０の内面と電線Ｄの導電体ｄの外面との間に位置するように内装される一対の挟圧部材１３０と、この挟圧部材１３０と連結部材１２０の端面間に位置するように内装される一対のスペーサ部材１４０と、により構築されており、被覆を剥いで導電体ｄを露出させた電線Ｄの端部同士を連結するとともに、その導電体ｄ間を導通接続することができる。
【００２７】
外装部材１１０は、内部が貫通する概略円筒形状に形成されており、導電性材料により作製されている。この外装部材１１０の一端側には、同一径で連続する内面および外面に作製されてその内周面に雌ネジ（ネジ山）１１１ａの刻設されている雌ネジ部（螺合部）１１１が形成されており、その他端側には、その雌ネジ部１１１と同軸方向に略同様な肉厚で連続するように一体形成されて徐々に縮径するとともにその他端部が電線Ｄの外径よりも大きめに開口する円錐形状部１１２が形成されている。
【００２８】
連結部材１２０は、中間部の内部が閉塞されている概略円筒形状に形成されており、外装部材１１０と同様に、導電性材料により作製されている。この連結部材１２０の中間部の両側には、電線Ｄの導電体ｄの外径よりも大きめの内周面に形成されているとともに、その外周面に外装部材１１０の雌ネジ部１１１の雌ネジ１１１ａを螺合可能な雄ネジ（ネジ山）１２１ａが刻設されている雄ネジ部１２１が形成されており、この雄ネジ部１２１の間の中間部には、その有底の円筒形状に形成されている雄ネジ部１２１の底部側を突き合わせるように一体形成した柱状部１２２が形成されている。
【００２９】
この外装部材１１０と連結部材１２０は、図２に示すように、その雌ネジ部１１１と柱状部１２２の外面がそれぞれ断面六角形に形成されており、その六角外面１１１ｂ、１２２ｂにレンチ等を嵌め込み係合させることにより回転させることができるように作製されている。ここで、この連結部材１２０は、同様に貫通する概略円筒形状に形成しても良いが、六角外面１２２ｂに係合させるレンチ等から負荷が加えられることから、中間部を柱状部１２２に形成している。
【００３０】
これにより、この電線接続用スリーブ１００は、外装部材１１０の円錐形状部１１２側から内部に電線Ｄを差し込んでその導電体ｄを連結部材１２０の雄ネジ部１２１内に挿入可能な状態にしつつ、その外装部材１１０の雌ネジ部１１１内に連結部材１２０の雄ネジ部１２１を差し込むようにして螺合させることができ、その雌ネジ部１１１と柱状部１２２の六角外面１１１ｂ、１２２ｂにレンチ等を係合・固定しつつ正逆方向に互いに相対回転させることにより締付・解除することができる。なお、連結部材１２０の雄ネジ部１２１には、左右で異なる向きのネジ山（所謂、逆ネジ）を形成してよく、外装部材１１０に対して連結部材１２０を一方向に回転させることにより、互いの締付・解除をするように設計してもよい。
【００３１】
挟圧部材１３０は、内部が貫通する概略円筒形状に形成されており、外装部材１１０や連結部材１２０と同様に、導電性材料により作製されている。この挟圧部材１３０の内面１３１は、電線Ｄの導電体ｄの外径よりも大きめの同一径で連続するように形成されて貫通しており、その外面１３２側は、外装部材１１０の内面と略同一の比率で縮径する円錐形状に形成されている。
【００３２】
この挟圧部材１３０は、図３に示すように、一端側から他端側まで延在するスリット（割り）１３３が複数本形成されており、スリット１３３は、両端部間の内面１３１と外面１３２の双方に開口しているとともに、このスリット１３３を形成する両側方の部材１３４の両端部の外面１３２側を薄肉に延在させることにより横断させている延在部１３５が形成されている。
【００３３】
スペーサ部材１４０は、内部が貫通する概略円筒形状のリング形状に形成されており、外装部材１１０や連結部材１２０や挟圧部材１３０と同様に、導電性材料により作製されている。このスペーサ部材１４０の内面１４１は、電線Ｄの導電体ｄの外径よりも大きめの同一径で連続するように形成されて貫通しており、その外面１４２側は、外装部材１１０の雌ネジ部１１１の内面（雌ネジ１１１ａ）よりも小径で連結部材１２０の雄ネジ部１２１の内面よりも大径の円筒形状に形成されている。
【００３４】
このスペーサ部材１４０は、挟圧部材１３０を内装させた状態の外装部材１１０の雌ネジ部１１１を、その挟圧部材１３０に隣接しつつ連結部材１２０の雄ネジ部１２１に十分に螺合させることができるとともに、その雌ネジ１１１ａと雄ネジ１２１ａを完全に螺合させる前に、その連結部材１２０の雄ネジ部１２１の端面１２３と挟圧部材１３０の大径側端面１３６に当接する長さに設定されている。
【００３５】
これにより、この電線接続用スリーブ１００は、外装部材１１０の円錐形状部１１２側から内部に電線Ｄを差し込んで、その電線Ｄの被覆を剥いだ導電体ｄを挟圧部材１３０の小径側端部の開口（挿入口）から内部に挿入して貫通させるとともに、その導電体ｄをスペーサ部材１４０内に差し込んだ後に、外装部材１１０を挟圧部材１３０に被せるようにしてその雌ネジ部１１１内に連結部材１２０の雄ネジ部１２１を差し込むように螺合させることによって、そのスペーサ部材１４０の両端面１４３、１４４を連結部材１２０の雄ネジ部１２１の端面１２３と挟圧部材１３０の大径側端面１３６に当接させることができ、さらにその螺合を強めることにより外装部材１１０の内面１１３を挟圧部材１３０の外面１３２側に圧接させることができる。
【００３６】
すなわち、挟圧部材１３０は外面１３２が端部側ほど縮径して断面形状の小さくなる円錐形状（テーパー形状）に形成されてるとともにスリット（割り）１３３が形成されることにより電線Ｄの導電体ｄに圧接して導通接続（導通接触）する導通接触部を構成し、外装部材１１０とスペーサ部材１４０がその挟圧部材１３０を縮径させて電線Ｄの導電体ｄに圧接させるように加圧する加圧部を構成し、連結部材１２０が外装部材１１０やスペーサ部材１４０と共に挟圧部材１３０に導通接触する導通部を構成している。
【００３７】
したがって、電線接続用スリーブ１００は、外装部材１１０と連結部材１２０の螺合を強めるほど、その外装部材１１０の内面１１３が先端側ほど縮径する円錐形状に形成されていることから、外装部材１１０の内面１１３に圧接する挟圧部材１３０の外面１３２に縮径方向の圧力が加えられることになり、その挟圧部材１３０のスリット１３３の幅を狭める負荷が増大する。このため、この挟圧部材１３０は、そのスリット１３３を横断するように形成されている薄肉の延在部１３５が容易に変形されて、全周方向に同一の肉厚に形成されている場合のように抗することはなく、その内面１３１が縮径されて電線Ｄの導電体ｄに食い込むことになり、その電線Ｄの導電体ｄ同士に導通接触するとともに、その内面１３１のエッジが食い込んで導電体ｄが滑ってしまうことを制限することができる。
【００３８】
このように本実施形態においては、電線Ｄの被覆を剥いで導電体ｄを露出させて外装部材１１０や挟圧部材１３０やスペーサ部材１４０を組み付けた後に、汎用のレンチ等の工具を使用して、その外装部材１１０の雌ネジ部１１１と連結部材１２０の雄ネジ部１２１を螺合させて互いに相対回転させるだけで、その電線Ｄの導電体ｄに挟圧部材１３０の内面１３１を食い込ませてこれら部材１１０〜部材１４０を介してその導電体ｄ同士を導通接続することができ、その電線Ｄに互いに離隔する方向に牽引する張力が働いてもその挟圧部材１３０の内面１３１側エッジが滑ってしまうことを制限することができる。したがって、圧縮スリーブのように専用の工具を準備することなく、破断などした電線Ｄの端部同士を簡易かつ迅速に導通接続することができるとともに、その接続状態を維持可能な強度で保持して復旧させることができる。また、この挟圧部材１３０は、延在部１３５を容易に変形させて大きく変形させることができることから、電線Ｄの導電体ｄの外径毎に対応するように多品種を準備する必要がなく、例えば、太線用、中線用、細線ようなどと大まかに準備すればよい。
【００３９】
ここで、本実施形態では、スペーサ部材１４０を別体に作製して連結部材１２０と挟圧部材１３０の間に介在させることにより外装部材１１０による加圧を確実に行い得るように設計するが、これに限るものではなく、連結部材１２０や挟圧部材１３０をスペーサ部材１４０に代わるように延長してもよい。また、電線Ｄの導電体ｄとの接触負荷により挟圧部材１３０が外装部材１１０の内面１１３に圧接・嵌合されることを期待してもよく、その嵌合を誘発するように挟圧部材１３０の内面１３１を粗面に形成しても良い。これらのいずれの場合にも、本実施形態と同様の作用効果を得ることができる。
【００４０】
次に、図４は本発明に係る電線接続用スリーブの第２実施形態を示す図である。ここで、本実施形態は、上述第１実施形態と略同様に構成されているので、同様の構成には、同一の符号を付して特徴部分を説明する（以下で説明する他の実施形態においても同様。）。
【００４１】
図４において、電線接続用スリーブ２００は、上述第１実施形態における一対の外装部材１１０に代えて一対の外装部材２１０、２２０を、また、連結部材１２０と一対のスペーサ部材１４０に代えて一つのスペーサ部材２４０を一対の挟圧部材１３０と共に備えることにより構築されており、上述第１実施形態同様に、被覆を剥いで導電体ｄを露出させた電線Ｄの端部同士を連結するとともに、その導電体ｄ間を導通接続することができる。
【００４２】
外装部材２１０、２２０は、外装部材１１０と同様に内部が貫通して円錐形状部１１２を備える概略円筒形状に導電性材料により作製されており、一方の外装部材２１０の一端側には、同一径に連続する内面および外面を形成されてその外周面に雄ネジ２１１ａの刻設されている雄ネジ部２１１が形成される一方、他方の外装部材２２０の一端側には、同一径に連続する内面および外面を形成されてその内周面に、その外装部材２１０の雄ネジ部２１１の雄ネジ２１１ａに螺合可能な雌ネジ２２１ａの刻設されている雌ネジ部２２１が形成されている。
【００４３】
この外装部材２１０、２２０は、その雄ネジ部２１１の隣接位置の外面と雌ネジ部２２１の外面のそれぞれが断面六角形に形成されており、その六角外面２１２、２２２にレンチ等を嵌め込み係合させて回転させることができるように作製されている。
【００４４】
これにより、この電線接続用スリーブ２００は、上述第１実施形態のように連結部材１２０を用いることなく、円錐形状部１１２内に電線Ｄを差込・挿入させた外装部材２１０、２２０の雄ネジ部２１１と雌ネジ部２２１を直接螺合させることができ、その外装部材２１０、２２０を互いに正逆方向に相対回転させることにより締付・解除することができる。
【００４５】
スペーサ部材２４０は、内部が貫通する概略円筒形状に導電性材料により作製されており、このスペーサ部材２４０の内面２４１は、スペーサ部材１４０と同様に、電線Ｄの導電体ｄの外径よりも大きめの同一径で連続するように形成されて貫通する一方、その外面２４２側は、外装部材２１０の雄ネジ部２１１の内面よりも小径になる円筒形状に形成されている。
【００４６】
このスペーサ部材２４０は、挟圧部材１３０を内装させた状態の外装部材２１０、２２０の雄ネジ部２１１と雌ネジ部２２１を、その挟圧部材１３０に隣接しつつ互いに十分に螺合させることができるとともに、その雄ネジ２１１ａと雌ネジ２２１ａを完全に螺合させる前に、その挟圧部材１３０の大径側端面１３６に両端面２４３が当接する長さに設定されている。
【００４７】
これにより、この電線接続用スリーブ２００は、外装部材２１０、２２０の円錐形状部１１２側から内部に電線Ｄを差し込んで、その電線Ｄの被覆を剥いだ導電体ｄを挟圧部材１３０の小径側端部の開口から内部に挿入して貫通させるとともに、その導電体ｄをスペーサ部材１４０の両端側から内部に差し込んだ後に、外装部材２１０、２２０を挟圧部材１３０に被せるようにして雄ネジ部２１１内に雌ネジ部２２１を差し込むように螺合させることによって、そのスペーサ部材２４０の両端面２４３をそれぞれ挟圧部材１３０の大径側端面１３６に当接させることができ、さらにその螺合を強めることにより外装部材１１０の内面１１３を挟圧部材１３０の外面１３２側に圧接させることができる。
【００４８】
すなわち、外装部材２１０、２２０とスペーサ部材２４０が挟圧部材１３０を縮径させて電線Ｄの導電体ｄに圧接させるように加圧する加圧部を構成するのと同時に、その挟圧部材１３０に導通接触する導通部をも構成している。
【００４９】
したがって、電線接続用スリーブ２００は、外装部材２１０、２２０同士の螺合を強めるほど、その外装部材２１０、２２０の内面１１３に圧接する挟圧部材１３０のスリット１３３の幅を狭めるように縮径させるとともに延在部１３５を容易に変形させて電線Ｄの導電体ｄに食い込ませることができ、上述第１実施形態と同様に、電線Ｄの導電体ｄ同士を滑ってしまうことがないように導通接続することができる。
【００５０】
このように本実施形態においては、電線Ｄの被覆を剥いで導電体ｄを露出させて外装部材２１０、２２０や挟圧部材１３０やスペーサ部材２４０を組み付けた後に、上述第１実施形態のように連結部材１２０を用いることなく、その外装部材２１０、２２０の雄ネジ部２１１と雌ネジ部２２１を汎用のレンチ等の工具を使用して螺合させるだけで、上述第１実施形態と同様に、その電線Ｄの導電体ｄに挟圧部材１３０の内面１３１を食い込ませて導通接続するとともにその接続状態保持することができる。
【００５１】
次に、図５は本発明に係る電線接続用スリーブの第３実施形態を示す図である。
図５において、電線接続用スリーブ３００は、上述第１実施形態における一対の外装部材１１０に代えて一対の外装部材３１０を、また、一対の挟圧部材１３０に代えて一対の挟圧部材３３０を連結部材１２０と共に備えるとともに、一対のスペーサ部材１４０を省くことにより構築されており、上述第１実施形態同様に、被覆を剥いで導電体ｄを露出させた電線Ｄの端部同士を連結するとともに、その導電体ｄ間を導通接続することができる。
【００５２】
外装部材３１０は、上述第１実施形態と同様に、内部が貫通する概略円筒形状に導電性材料により作製されて、雌ネジ部１１１および円錐形状部１１２を備えており、その円錐形状部１１２の内面に徐々に縮径する雌ネジ３１３が刻設されている。
【００５３】
挟圧部材３３０も、上述第１実施形態と同様に、内部が貫通する概略円筒形状に導電性材料により作製されて、同一径で連続することにより貫通する内面１３１を有しており、複数本のスリット１３３と延在部１３５が形成されている。また、この挟圧部材３３０は、外装部材３１０の円錐形状部１１２の内面と略同一の比率で縮径する円錐形状の外面に、その外装部材３１０の内面の雌ネジ３１３に螺合可能に雄ネジ３３２が形成されている。
【００５４】
これにより、この電線接続用スリーブ３００は、外装部材３１０の円錐形状部１１２側から内部に電線Ｄを差し込んで、その電線Ｄの被覆を剥いだ導電体ｄを挟圧部材３３０の小径側端部の開口から内部に挿入して貫通させるとともに、上述第１実施形態におけるスペーサ部材１４０を用いることなく、その外装部材３１０を挟圧部材３３０に被せるようにしてその雌ネジ部１１１内に連結部材１２０の雄ネジ部１２１を差し込むように螺合させる。このとき、電線Ｄの導電体ｄの外面に接触する挟圧部材３３０の内面１３１がその接触負荷により相対回転することを制限されることにより、その挟圧部材３３０の外面の雄ネジ３３２が外装部材３１０の内面の雌ネジ３１３に徐々に螺合することができ、その螺合が進むことにより挟圧部材３３０を外装部材３１０の円錐形状部１１２の小径側に移動させて縮径させることができる。
【００５５】
すなわち、外装部材３１０が単独で挟圧部材３３０を縮径させて電線Ｄの導電体ｄに圧接させるように加圧する加圧部を構成しており、この電線接続用スリーブ３００では、外装部材３１０のみにより挟圧部材３３０を縮径させて電線Ｄの導電体ｄにその内面１３１を食い込ませることができる。
【００５６】
このように本実施形態においては、上述第１実施形態におけるスペーサ部材１４０を用いることなく、その上述第１実施形態と同様に、電線Ｄの導電体ｄに挟圧部材３３０の内面１３１を確実に食い込ませてその導電体ｄ同士を導通接続するとともにその接続状態保持することができる。
【００５７】
次に、図６は本発明に係る電線接続用スリーブの第４実施形態を示す図である。
図６において、挟圧部材４３０は、上述第１実施形態における一対の外装部材１１０と、連結部材１２０と、一対のスペーサ部材１４０と共に電線接続用スリーブ１００を構築しており、上述第１実施形態同様に、被覆を剥いで導電体ｄを露出させた電線Ｄの端部同士を連結するとともに、その導電体ｄ間を導通接続することができる。
【００５８】
挟圧部材４３０は、内面１３１の複数箇所から内方に突出する突起（滑り止め）４３１がその両端面１３６に形成されている。
【００５９】
これにより、この電線接続用スリーブ１００は、外装部材１１０を挟圧部材４３０に被せるようにしてその雌ネジ部１１１を連結部材１２０の雄ネジ部１２１に螺合させることにより、その挟圧部材４３０を縮径させてその内面１３１を電線Ｄの導電体ｄに食いこませる際に、その内面１３１から内方に突出する複数の突起４３１がその電線Ｄの導電体ｄの外面に食い込む。
【００６０】
このように本実施形態においては、上述第１実施形態における作用効果に加えて、挟圧部材４３０の内面１３１だけでなく、複数の突起４３１も電線Ｄの導電体ｄに食い込ませてその電線Ｄの端部同士を接続することができる。したがって、電線接続用スリーブ１００により接続した電線Ｄの端部間をより強固に接続することができ、その接続状態をより信頼性高く維持することができる。
【００６１】
ここで、本実施形態では、内面１３１に形成する滑り止めとしては、両端面１３６側に突出形状の突起４３１を形成する形態に限るものではなく、例えば、周方向の全周あるいはその一部に延在するリブ形状に形成してもよく、または、その両端面側だけでなく、その中間部分の内面１１３にも形成してもよく、さらに、粗面に形成するだけでも滑り止めとして機能させることができることは言うまでもない。
【００６２】
次に、図７は本発明に係る電線接続用スリーブの第５実施形態を示す図である。
図７において、電線接続用スリーブ１００は、上述第１実施形態における一対の外装部材１１０と、連結部材１２０と、一対の挟圧部材１３０と、一対のスペーサ部材１４０と共に、カバー部材５１０を備えることにより構築されており、上述第１実施形態同様に、被覆を剥いで導電体ｄを露出させた電線Ｄの端部同士を連結するとともに、その導電体ｄ間を導通接続することができる。
【００６３】
カバー部材５１０は、外装部材１１０の外面１５１と略同一形状の内面５１１を有するように、弾性変形可能で絶縁性を有するとともに電線Ｄの外被と異なる目立つ色、例えば、黄色の樹脂材料により作製されており、その外装部材１１０の雌ネジ部１１１と円錐形状部１１２を内装するとともに、その一端部（円錐形状部１１２の端部）から引き出されている電線Ｄを同様に外部に引き出すことができるように概略円筒形状に形成されている。
【００６４】
このカバー部材５１０は、外装部材１１０の円錐形状部１１２の端部（開口）側に対応する一端部側には電線Ｄを引き出す引出口５１２が開口しており、反対側の雌ネジ部１１１の開口側に対応する他端部側も、連結部材１２０の雄ネジ部１２１を差込可能に開口している。このカバー部材５１０の他端部側は、その連結部材１２０の柱状部１２２の外面までを覆う程度に延長されている延長部５２１が形成されているとともに、その雄ネジ部１２１の外端面に隣接する延長部５２１の内面には内方に突出する畝形状５２２が形成されている。
【００６５】
これにより、この電線接続用スリーブ１００では、まずは、カバー部材５１０の引出口５１２から電線Ｄを内部に差し込んで、以降同様に作業することにより、外装部材１１０、挟圧部材１３０およびスペーサ部材１４０の内部にその電線Ｄの導電体ｄを挿入・貫通させた後に、その外装部材１１０の雌ネジ部１１１を連結部材１２０の雄ネジ部１２１に螺合させて導電体ｄ同士を導通接続させることができ、この後には、この電線接続用スリーブ１００の両側に装着準備されているカバー部材５１０を外装部材１１０に被せることができる。このカバー部材５１０は、両側の外装部材１１０から延長部５２１を重ねるように被せることにより、その延長部５２１の内面の畝形状５２２をその外装部材１１０の雌ネジ部１１１の端部に隣接させるように嵌め込むことができ、電線接続用スリーブ１００の全体を絶縁性を有する黄色のカバー部材５１０で覆うことができる。
【００６６】
このように本実施形態においては、上述第１実施形態における作用効果に加えて、電線Ｄの外被と異なって目立つ黄色のカバー部材５１０で電線接続用スリーブ１００の全体を覆うことができ、電線Ｄの端部同士の導通接続箇所を目立たせることができる。また、カバー部材５１０を被せることにより、不用意に外装部材１１０などの外面に触れて感電・短絡事故を発生させてしまうことを未然に回避することができる。したがって、安全性を向上させることができるとともに、電線接続用スリーブ１００により導通接続した箇所を容易に他と区別して発見することができ、電線Ｄの導通接続をやり直す場合などに迅速に接続箇所を探して作業することができる。
【００６７】
ここで、本実施形態では、電線接続用スリーブ１００の全体を同一色で覆う場合を一例に説明するが、これに限るものではなく、例えば、景観などを損なわないように、一部のみを電線Ｄの外被と異なる色にしてもよい。また、別部品のカバー部材５１０を準備する場合を一例に説明するが、これに限るものではなく、外装部材１１０や連結部材１２０の外面を絶縁塗料で被覆させても良い。
【００６８】
また、上述第４、第５実施形態では、上述第１実施形態の電線接続用スリーブ１００に適用した場合を一例に説明するが、これに限るものではなく、上述第２実施形態のスリーブ２００や上述第３実施形態のスリーブ３００に適用してもよいことは言うまでもない。
【００６９】
さらに、上述第１〜第５実施形態の第１の他の態様としては、特に図示することは省略するが、上述実施形態では、連結部材１２０、挟圧部材１３０、３３０、およびスペーサ部材１４０、２４０のそれぞれを別体に形成して分断されている状態（別部品）に構築する場合を一例に説明するが、これに限るものではなく、挟圧部材１３０、３３０を連結部材１２０やスペーサ部材１４０、２４０と連続するように一体に形成してもよい。この場合には、挟圧部材１３０、３３０が連結部材１２０側などに連設されて大きく変形させることはできないことから、電線Ｄの導電体ｄの線径毎に対応するように準備して、大きく変形させることなく、その挟圧部材１３０、３３０の内面１３１が電線Ｄの導電体ｄに食い込ませることができる寸法に設計すればよい。言い換えると、電線Ｄの導電体ｄの線径毎に対応するように設計することにより、連結部材１２０、挟圧部材１３０、３３０、およびスペーサ部材１４０、２４０をそれぞれ一部品として設計することができる。ただし、この他の態様では、挟圧部材１３０、３３０を大きく変形させることができないために、電線Ｄの導電体ｄの線径毎に対応するように準備する必要があることから、上述実施形態のように別体に設計する方が有利である。
【００７０】
また、第２の他の態様としては、外装部材１１０、２１０、２２０、３１０、連結部材１２０、挟圧部材１３０、３３０、およびスペーサ部材１４０、２４０のそれぞれの間の導通性能をより確実に確保することができるように、導電性グリスを内部に注入しても良いことは言うまでもない。
【産業上の利用可能性】
【００７１】
これまで本発明の一実施形態について説明したが、本発明は上述の実施形態に限定されず、その技術的思想の範囲内において種々異なる形態にて実施されてよいことは言うまでもない。
【図面の簡単な説明】
【００７２】
【図１】本発明に係る電線接続用スリーブの第１実施形態を示す図であり、その概略全体構成を示す縦断面図である。
【図２】その外観を示す平面図である。
【図３】その要部の部品の構成を示す図であり、（ａ）はその長手方向に対する直交方向からの平面図、（ｂ）はその大径側からの平面図、（ｃ）はその小径側からの平面図である。
【図４】本発明に係る電線接続用スリーブの第２実施形態を示す図であり、その概略全体構成を示す縦断面図である。
【図５】本発明に係る電線接続用スリーブの第３実施形態を示す図であり、その概略全体構成を示す縦断面図である。
【図６】本発明に係る電線接続用スリーブの第４実施形態を示す図であり、（ａ）はその要部部品の構成を示す長手方向に対する直交方向からの平面図、（ｂ）はその大径側からの平面図、（ｃ）はその小径側からの平面図である。
【図７】本発明に係る電線接続用スリーブの第５実施形態を示す図であり、その概略全体構成を示す一部縦断面図である。
【符号の説明】
【００７３】
１００、２００、３００……電線接続用スリーブ    １１０、２１０、２２０、３１０……外装部材    １１１、２２１……雌ネジ部    １１１ａ、２２１ａ、３１３……雌ネジ    １１１ｂ、１２２ｂ、２１２、２２２……六角外面    １１２……円錐形状部    １１３、１３１、１４１、２４１、５１１……内面    １２０……連結部材    １２１、２１１、２２１……雄ネジ部    １２１ａ、２１１ａ、２２１ａ、３３２……雄ネジ    １２２……柱状部    １３０、３３０、４３０……挟圧部材    １３２、１４２、１５１、２４２……外面    １３３……スリット    １３５……延在部    １４０、２４０……スペーサ部材    ４３１……突起    ５１０……カバー部材    ５１２……引出口    ５２１……延長部    ５２２……畝形状    Ｄ……電線    ｄ……導電体
【図１】
2009205830.tif 000003
【図２】
2009205830.tif 000004
【図３】
2009205830.tif 000005
【図４】
2009205830.tif 000006
【図５】
2009205830.tif 000007
【図６】
2009205830.tif 000008
【図７】
2009205830.tif 000009